(57)【要約】      （修正有）【課題】細菌の増殖を抑制する材料を用いて作製された、抗菌効果のある名刺用袋を提供する。【解決手段】実質的に名刺大かつ名刺を収容可能な寸法であり、平面四角形状で三辺が封止され、少なくとも一方の面が透明である。【選択図】図１
0003228073.tif 000002
【実用新案登録請求の範囲】
【請求項１】
実質的に名刺大かつ名刺を収容可能な寸法であり、平面四角形状で三辺が封止され、少なくとも一方の面が透明である、抗菌フィルム製の袋。
【考案の詳細な説明】
【技術分野】
【０００１】
本考案は、細菌の増殖を抑制する材料を用いて作製された、抗菌効果のある名刺用袋に関する。
【背景技術】
【０００２】
名刺は、氏名、所属する組織や部署、電話番号、メールアドレス、キャッチコピーなどを記載した所定の大きさのカードであり、自己紹介や連絡先を示すことを目的として、広く用いられている。特に、特定個人に連絡を取りたい場合や、氏名を確認したい場合には、受け取った名刺を後日参照することが多い。
【０００３】
このような特徴から、初対面の人と直接会ったときには、挨拶とともにしばしば名刺の交換が行われる。情報通信技術の発達やテレワークの推進などから、近頃は直接面会することなく仕事を進めることも増えている。しかし、同じ空間にいなければ、伝えることを省略されるような情報もあるため、直接会って話すことを重要視する人もいる。したがって、名刺交換という行為は、今後も行われるであろう。
【０００４】
一方で、近年は感染症の流行や衛生意識の向上などのため、殺菌や抗菌に対する関心が高まっている。不特定多数の人が触るものには触れたくないと考える人もおり、商業施設などでは、そのような箇所を頻繁に消毒している場合もある。また、建物の入口などには、手指を消毒するためのアルコールを備えていることも多い。
【０００５】
このような状況において、直接手で持って差し出す名刺についても、衛生意識の有無は、受け取る側が抱く印象に差をもたらすであろう。名刺を交換するシーンには、展示会、講演会、交流会のような、多数の人が集まる場面も含まれる。このような場面では、様々な細菌に接するリスクが高まる。また、一度に多数の人物と面会し、個々人の印象が薄くなりがちな場面では、強い印象を残すことが重要となる。衛生意識のアピールは、名刺を渡した相手に良好な印象を与えるために有効である。
【０００６】
特許文献１には、植物の精油および／またはエキスのゲルを蒸気透過性液体不透過性袋状物に封入してなる、植物の精油・エキス蒸気発散用品が開示されている。また、この蒸気透過性液体不透過性袋状物を、蒸気透過性液体不透過性フィルムケースに封入すること、該フィルムケースが、外側が透明シートからなるポケットを有することなどが記載されている。特許文献１の考案においては、殺菌作用を有する植物の精油・エキスを、蒸気として徐々に発散させることによって、殺菌作用をもたらすことが可能であるとされる。しかしながら、殺菌効果はフィルム自体が有するものではなく、長期的には殺菌成分が蒸発して消失し、殺菌効果が失われる。
【先行技術文献】
【特許文献】
【０００７】
【特許文献１】実用新案登録第３０２０５５９号公報
【考案の概要】
【考案が解決しようとする課題】
【０００８】
本考案は、細菌の増殖を抑制する材料を用いて作製された、抗菌効果のある名刺用袋を提供することを目的とする。
【課題を解決するための手段】
【０００９】
上記課題を解決するため、本考案は、実質的に名刺大かつ名刺を収容可能な寸法であり、平面四角形状で三辺が封止され、少なくとも一方の面が透明である、抗菌フィルム製の袋を提供する。
【考案の効果】
【００１０】
本考案による名刺用袋は、収容した名刺を、細菌が増殖しない条件下で手渡すこと、または保管することを可能にする。したがって、名刺用袋に名刺を収容して渡すことによって、受け取る側に衛生という観点における安心感を与え、渡した者に対する好印象を形成することができる。あるいは、他者から受け取った名刺を収容することによって、名刺を大切に扱っているという印象を形成すると同時に、衛生的に保管することができる。
【図面の簡単な説明】
【００１１】
【図１】本考案による抗菌効果のある名刺用袋の平面図である。
【考案を実施するための形態】
【００１２】
本考案による名刺用袋は、実質的に名刺大かつ名刺を収容可能な寸法を有する。名刺の寸法は、東京４号または大阪９号と呼ばれる、長辺９１ｍｍ、短辺５５ｍｍが一般的である。この他、女性名刺とも呼ばれる３号（長辺８５ｍｍ、短辺４９ｍｍ）、欧米サイズと呼ばれる長辺８９ｍｍ、短辺５１ｍｍなど、複数の規格がある。実質的に名刺大とは、各寸法の名刺を過不足なく収容可能であることを意味し、これらの名刺を収納するための名刺ケースにも収納可能であることが望ましい。すなわち、名刺を折り曲げることなく収容するため、対象とする名刺よりわずかに大きいことを含意する。本考案が対象とする名刺の寸法は、前述の寸法を含むが、これらに限定されるものではない。
【００１３】
本考案による名刺用袋は、少なくとも一方の面が透明であるため、収容した名刺に印刷された情報を、袋の外から支障なく読み取ることができる。ただし、無色透明に限定されるものではなく、情報の視認を妨げない程度に着色されていてもよい。また、文字情報が通常印刷されない、名刺の四隅や縁周辺、裏面などに、装飾用の文様などを有してもよい。あるいは、抗菌効果を有することを示す文言など、文字情報などが名刺用袋に印刷されてもよい。
【００１４】
本考案による名刺用袋を構成する材料として、例えば、ＣＰＰ、ＯＰＰなどのフィルムを用いることができる。ＣＰＰとは、Ｃａｓｔ  Ｐｏｌｙｐｒｏｐｙｌｅｎｅの略で、無延伸ポリプロピレンを指す。ＯＰＰとは、Ｏｒｉｅｎｔｅｄ  Ｐｏｌｙｐｒｏｐｙｌｅｎｅの略で、二軸延伸ポリプロピレンを指す。ＣＰＰは透明度が比較的高く、切れ目や接合部における引き裂きに強いという特長がある。ＯＰＰフィルムは、張りがあり、透明度が特に高いという特長がある。
【００１５】
名刺は一般に紙製であるが、ＣＰＰ、ＯＰＰのようなプラスチックフィルム製の袋に収容することにより、防汚性、耐水性を付与することができる。デスクワークや商談の際、机上に飲み物を置くことも多い。飲み物を入れた容器を倒し、周囲のものを汚すという事態もときとして起こりうる。しかし、本考案による名刺用袋に名刺を収容することによって、このような事態におけるトラブルを防止することができる。
【００１６】
本考案において、「抗菌性」という用語は、抗菌加工を施さない場合と比較して、表面における細菌の増殖割合が１００分の１以下であることを指す。詳細な検査方法については、ＪＩＳ  Ｚ２８０１：２０１０「抗菌加工製品−抗菌性試験方法・抗菌効果」を参照されたい。
【００１７】
抗菌性を有するフィルムとしては、例えば、銀や銅などの抗菌性に優れる物質を添加したフィルムを用いることができる。また、抗菌性を有するフィルムを他のフィルムに積層し、抗菌性を有するフィルムが外側に配置されるようにしてもよい。
【００１８】
本考案による名刺用袋に用いるフィルムは、材料中にさらなる添加剤を含有してもよい。例えば、抗菌剤に加えて、紫外線吸収剤、顔料、強化剤、エラストマー、帯電防止剤、防曇剤、滑剤などを含んでもよい。
【００１９】
本考案による名刺用袋は、開口された一辺に口ズレを有してもよい。すなわち、袋体をなす表裏２枚のフィルムの一方が、他方に対して数ミリメートル程度長くてもよい。このような口ズレを有することによって、名刺用袋を開いて名刺を中に収容する作業が容易となる。あるいは、開口された一辺の一部に切り欠きを設けることによっても、同様の効果を実現することができる。
【００２０】
本考案による名刺用袋は、一方の面に、粘着剤が塗布された粘着部を有してもよい。粘着部を有することによって、名刺を資料やファイルなどに貼付することが容易となる。これによって、名刺を関連する物品と一体的に管理することが促され、名刺の紛失を予防することができる。したがって、名刺を受け取った側は利便性が向上し、名刺を渡した側はビジネスチャンスの逸失を予防することができる。
【００２１】
本考案による名刺用袋が粘着部を有する場合、粘着部の上に剥離フィルムを有してもよく、剥離フィルムに帯電防止処理を施してもよい。使用者は、剥離フィルムを剥がし、露出した粘着部を押圧するだけで、容易に名刺用袋を資料などに貼付することができる。また、剥離フィルムに帯電防止処理を施すことによって、剥がした剥離フィルムが手にまとわりつかず、効率的に作業を行うことができる。
【００２２】
なお、本考案は上記の実施形態に限定されるものではなく、本考案の趣旨に基づいて種々変形させることが可能であり、それらを本考案の範囲から排除するものではない。
【図１】
0003228073.tif 000003